(57)【特許請求の範囲】
【請求項１】
透液性トップシートと不透液性バックシートとの間に吸収体が介在され、使用面側に起立するバリヤーカフスを有する使い捨て吸収性物品において、
前記バリヤーカフスは、吸収性物品に固定された固定部分と、この固定部を根元として使用面から起立する起立部分とを有しており、
前記バリヤーカフスの起立部分全体を、前記透液性トップシートとは別部材の、撥水性及び通気性を有する不織布からなるバリヤーシートにより形成し、
このバリヤーシートを二重構造とするとともに、
重ね合わせバリヤーシート間における起立部分の根元側に不透液性フィルムを介在させることにより、起立部分の根元側が先端側に比較して体液に対する高い防漏性を有し、前記先端側は通気性を有するように構成し、
前記不透液性フィルムを設ける範囲を、前記起立部分における根元側と先端側との境界から、前記バリヤーカフスにおける固定部分と起立部分との境界までとし、
前記不透液性バックシートを、前記バリヤーカフスにおける固定部分と起立部分との境界よりも幅方向外側まで延在させた、
ことを特徴とする使い捨て吸収性物品。
【請求項２】
前記根元側は、体液不透過の防漏性を有する請求項１記載の使い捨て吸収性物品。
【請求項３】
前記根元側は、非通気性である請求項１記載の使い捨て吸収性物品。
【発明の詳細な説明】
【技術分野】
【０００１】
本発明は使い捨て紙おむつ、たとえば結合テープを用いて装着を図るテープ式、あるいはいわゆるトレーニングパンツなどのパンツ型の紙おむつ、あるいは生理用ナプキンなどの使い捨て吸収性物品に関する。
【背景技術】
【０００２】
従前より市販されている使い捨て紙おむつの多くは、透液性トップシートを透過した尿等の体液を吸収体（吸収コアのみならずこれを包むティッシュペーパーなども含まれる）で吸収し、吸収した体液の衣類側への漏れを防止する構造をもっているほか、通常はシリコン処理により撥水性を付与した不織布をバリヤーシートとして用い、このバリヤーシートの長手方向少なくとも股間部相当域に伸縮部材を設けて、使用面側に起立する構造としたバリヤーカフスを備えている。かかる紙おむつにおいては、尿・軟便等の体液を受け止めて、これが透液性トップシートに沿って横方向に移動したとき、前記バリヤーカフスがバリヤー(障壁)となりその乗り超えを防ぎ、バリヤーシートはシリコン処理により撥水性を付与した不織布からなるので、体液の脚周りからの横漏れを防止できる構造を有している。なお、幅方向にバリヤーカフスを二重に設けたものや、サイドフラップにガスケットカフスを設けたものも市販されている。
【０００３】
また、多くの紙おむつは、前記胴周り開口部縁に対し平行に間隔を置いた複数本のウエスト伸縮部材が、腹側及び背側における胴周り開口部縁近傍の、前記吸収体が存在しないウエスト部分において設けられ、前記ウエスト伸縮部材の収縮によりエンドフラップ部も収縮してギャザーを形成し、おむつを着用者の腰周りにフィットさせ、腰周りからの前後漏れを防止するとともに、ズレ落ちも防止する構造を有している。
【０００４】
しかも、たとえば代表的には、特許第２５１７６２２号のように、ウエスト部にバリヤーフラップ（バリヤーカフス）を設けたものも知られている。
【０００５】
ところで、バリヤーカフスを構成するバリヤーシートとしては、その機能上不透液性であることが望ましいものの、完全に不透液性とするためには、プラスチックシートを用いる必要があり、これでは柔軟性に欠け、肌に対する刺激が大きく、さらに排尿に伴う蒸発水分がバリヤーカフスに遮られ抜けることがないためにムレが生じる問題がある。
【０００６】
そこで、肌に対する刺激がなく、ムレを防止する観点から、バリヤーシートとして通常は前述のようにシリコンなどにより撥水処理した不織布を用いている。これにより、シリコン撥水処理により体液を透過させない防漏性を付与しており、水分蒸気については透過させる通気性を確保している。
【０００７】
しかし、撥水処理した不織布は、防漏機能に限界がある。すなわち、バリヤーカフスに一旦塞き止められた体液に対して、紙おむつの装着者の激しい運動に伴う過度の圧力が作用すると、バリヤーカフスを体液が透過してしまうことがあり、横漏れを生じることがある。
【特許文献１】特許第２５１７６２２号公報
【発明の開示】
【発明が解決しようとする課題】
【０００８】
したがって、本発明の課題は、脚周りからの横漏れ、あるいはウエストからの前後漏れ防止効果をより確実にならしめる構造を提供することにある。
【課題を解決するための手段】
【０００９】
上記課題を解決した本発明は次記のとおりである。
＜請求項１記載の発明＞
透液性トップシートと不透液性バックシートとの間に吸収体が介在され、使用面側に起立するバリヤーカフスを有する使い捨て吸収性物品において、
前記バリヤーカフスは、吸収性物品に固定された固定部分と、この固定部を根元として使用面から起立する起立部分とを有しており、
前記バリヤーカフスの起立部分全体を、前記透液性トップシートとは別部材の、撥水性及び通気性を有する不織布からなるバリヤーシートにより形成し、
このバリヤーシートを二重構造とするとともに、
重ね合わせバリヤーシート間における起立部分の根元側に不透液性フィルムを介在させることにより、起立部分の根元側が先端側に比較して体液に対する高い防漏性を有し、前記先端側は通気性を有するように構成し、
前記不透液性フィルムを設ける範囲を、前記起立部分における根元側と先端側との境界から、前記バリヤーカフスにおける固定部分と起立部分との境界までとし、
前記不透液性バックシートを、前記バリヤーカフスにおける固定部分と起立部分との境界よりも幅方向外側まで延在させた、
ことを特徴とする使い捨て吸収性物品。
【００１０】
（作用効果）
本発明は、たとえば使い捨て紙おむつにおける脚周り及びまたはウエストのバリヤーカフスに関して、特に脚周りにおいてはその少なくとも中間部分、すなわち少なくとも股間部において、起立部分の根元側が先端側に比較して体液に対する高い防漏性を有し、前記先端側は通気性である構造のものである。
【００１１】
一般に、尿がバリヤーカフスを透過するのは、殆どの場合、根元側からであるので、根元側に防漏性を付与すれば、たとえば図２の矢印で示すように尿が流れたとしても、これを根元側で阻止できるから、尿がバリヤーカフスを透過するのを防止でき、横漏れを確実に回避できる。かくして、目的の防漏機能を得ながら、先端側が通気性であることにより、排尿に伴う蒸発水分がその通気性部分を通して外部に抜けるので、バリヤーカフスに遮られてムレが生じることがない。また、バリヤーシートとして通気性（水分蒸気透過性）不織布を用い、その根元側に防漏性を付与すれば、肌に当たる先端側は柔軟性を有し、肌に対する刺激性はないものとなる。
【００１２】
本発明において、「起立部分の根元側が先端側に比較して体液に対する高い防漏性を有」するとは、広義の意味で使用している。すなわち、バリヤーカフスの起立部分の先端側がまったくあるいは殆ど防漏性を有しない場合と、ある程度の防漏性を有する場合とがあるが、前者の場合には根元側に防漏性を付与することにより、根元側が先端側に比較して体液に対する高い防漏性を有するものとなり、後者の場合には、バリヤーシートの素材がたとえばシリコン処理により起立部分の先端側がある程度の防漏性を有する場合において、根元側に防漏性を付与することにより、根元側が先端側に比較して体液に対する高い防漏性を有するものとなることを意味するものである。
【００１３】
なお、従来、バリヤーカフスとして不織布にシリコン撥水処理して体液を透過させない防漏性を付与したもの、すなわち一様に防漏性を有するものが知られているとしても、バリヤーカフスの先端側に対して根元側を、より高い防漏性を付与したものは新規な点である。
【００１４】
本発明においては、不透液性フィルムを設けることにより完全な防漏性を付与できる。
【００１５】
＜請求項２記載の発明＞
前記根元側は、体液不透過の防漏性を有する請求項１記載の使い捨て吸収性物品。
【００１６】
（作用効果）
根元側の防漏性は、たとえばフィルムを設けることなどにより如何なる状態においても体液が不透過である防漏性を付与できる。
【００１７】
＜請求項３記載の発明＞
前記根元側は、非通気性である請求項１記載の使い捨て吸収性物品。
【００１８】
（作用効果）
根元側の防漏性は、たとえばフィルムを設けることなどにより非通気性である構成とすることができる。
【発明の効果】
【００１９】
本発明によれば、脚周りからの横漏れ、あるいはウエストからの前後漏れ防止効果が確実となる。しかも、バリヤーカフスの先端側は通気性であるので、装着時のムレを防止できる。
【発明を実施するための最良の形態】
【００２０】
以下本発明を図面に示す実施の形態を参照しながら更に詳説する。
＜第１の実施の形態＞
図１及び図２は本発明のテープ式の紙おむつの実施の基本の形態を示したもので、不織布などからなる透液性トップシート１とポリエチレンシートなどからなる不透液性バックシート２との間に、吸収体３を含む吸収要素が介在され、トップシート１がバックシート２にホットメルト接着剤などにより固定され、さらにバリヤーシート２１の側部がトップシート１に固定されているとともに、本体バックシート５にも固定されていることで吸収要素の固定が図られている。
【００２１】
前記本体バックシート５は、最終製品の外面全体に及んで全体形状を規定する連続シートであり、実施例での本体バックシート５は砂時計形状に成形されている。この本体バックシート５は、ムレ防止などの点から、通気性及び不透液性（撥水性）の少なくとも一方、より好ましくは両者の特性を有するのが望まれる。その素材は適宜選択できるが、その例としては、ポリプロピレン主体の熱融着繊維とレーヨン繊維を混綿したレーヨンスパンレース不織布と、ウレタンやイソプレンゴム系の材料を主体とするメルトブロー不織布を熱融着、超音波接合、ホットメルト接着剤による接合などにより一体化し、前者の不織布を着用者の肌側に使用するものを挙げることができる。ここで、本体バックシート５としては、不透液性バックシート２が設けられおり、裏面側にはその構造上漏れるおそれはないから、通気性でかつ透液性のものであってもよい。
【００２２】
また、製品の前後のフラップ部において、トップシート１、バックシート２、及び本体バックシート５の何れかの間に腰回り伸縮部材１０Ａが設けられている。図示例における腰回り伸縮部材１０Ａは帯状ゴムや糸状ゴムを伸長下で単数または図示のように平行に複数固定することができる。
【００２３】
さらに、トップシート１上には不透液性または不織布を撥水処理した不透液性であるが通気性を有する前後フラップ１０が設けられ、その製品の長手方向端部がトップシート１上にホットメルト接着剤などにより固定されている。前後フラップ１０の自由端部には，帯状ゴムや糸状ゴムなどからなる先端部伸縮部材１０Ｂがその伸長下でホットメルト接着剤などにより固定されている。
【００２４】
かくして、前後フラップ１０の素材とその自由端部に設けられた先端部伸縮部材１０Ｂとは、先端部伸縮部材１０Ｂの収縮により自由部が使用面から起立する前後のバリヤーカフスを構成し、前後漏れを防止する。
【００２５】
この前後フラップ１０は、前後の両者に設けることなく、腹側及び背側の一方でもよいし、前後フラップ１０両者そのものを省略することもできる。
【００２６】
他方、製品の両側部には、股間部における横漏れ用の使用面側に突出するバリヤーカフス２０ 、２０ がそれぞれ形成されている。バリヤーカフス２０は、詳細には図２に示されるように、バリヤーシート２１を構成要素としており、前述のように、バリヤーシート２１の側部がトップシート１に固定されているとともに、本体バックシート５にもホットメルト接着剤などにより固定されている。バリヤーシート２１の自由縁部には、帯状ゴムや糸状ゴムなどからなる単数または複数の先端部伸縮部材２２が伸長下でホットメルト接着剤などにより固定されている。
【００２７】
バリヤーシート２１の側部は、本体バックシート５に対してもホットメルト接着剤などにより固定されるが、これらの間に、たとえば４本のガスケットカフス用伸縮部材３２、３２…が伸長下でホットメルト接着剤などにより固着され、その収縮力により側部フラップ３１にひだ状のガスケットカフスを形成している。ここで、伸縮部材３２、３２…を設けないでガスケットカフスを構成しないこともできる。
【００２８】
バリヤーカフス２０ 、２０ は、先端部伸縮部材２２の収縮力により、自由部を起立させ、着用時に着用者の脚回りに当接し、そのバリヤーカフス２０ 、２０ とトップシート１とで囲まれる、上方開口のほぼ台形の空間によって、尿または軟便からなる体液の閉じ込め用ポケット空間を形成する。この空間内に排尿されると、その尿はトップシート１を通過して吸収体３内に吸収されるとともに、軟便固形分については、バリヤーカフス２０ 、２０ がバリヤー（障壁）になってその乗り越えが防止される。仮に、バリヤーカフス２０ を乗り越えて横方向に軟便の液分が漏れたとしても、ガスケットカフス用伸縮部材３２、３２…によって形成されるガスケットカフスにより横漏れが防止される。
【００２９】
このバリヤーシート２１は、たとえば撥水処理した不織布により形成され、実質的に通気性を有する素材により形成できる。本発明に従って、このバリヤーシート２１におけるバリヤーカフス２０の起立部分の根元側２３が実質的に防漏性とされる。したがって、先端側２４は撥水処理した不織布そのものであるから通気性を示す。
【００３０】
根元側２３を実質的に防漏性とする手段としては、バリヤーシート２１を二重構造とし、その重ね合わせバリヤーシート２１間に不透液性プラスチックシート２３Ａを介在させる形態を採る。この不透液性プラスチックシート２３Ａは、バリヤーシート２１の一方の面または両面にたとえばホットメルト接着剤により固定できる。
【００３１】
他方、図３は本発明に含まれない参考形態を示している。すなわち、不織布などからなる透液性トップシート１とポリエチレンシートなどからなる不透液性バックシート２との間に、吸収体３及びこの上下を包むティッシュペーパー３Ａ，３Ｂを含む吸収要素が介在され、トップシート１の両側部がバックシート２の両側部にホットメルト接着剤などにより固定され、さらにバックシート２は、通気性でかつ透液性の本体バックシート５にホットメルト接着剤などにより固定されている。６は不織布であり、主に体液の逆戻りを防止するために設けられる。
【００３２】
製品の両側部には脚周りバリヤーカフス２０が設けられている。このバリヤーカフス２０は、折り返して二重にしたバリヤーシート２１を構成要素としており、バリヤーシート２１の内側面の基端部がバックシート２にホットメルト接着剤により固定されているとともに、バリヤーシート２１の外側面の延在部が本体バックシート５にホットメルト接着剤などにより固定されている。
【００３３】
バリヤーシート２１の折り返し自由縁部の近傍には、帯状ゴムや糸状ゴムなどからなる単数または複数の先端部伸縮部材２２が伸長下でホットメルト接着剤などにより固定されている。また、図示のようにバリヤーカフス２０は起立する自由部のほぼ中央において先端側が外側に折り返されて外向き部が形成されており、この折り返しがなされていない内向きの基端部側（根元側）に単数または複数の基端部伸縮部材２２Ａが伸長下でホットメルト接着剤などにより固定されている。
【００３４】
この形態において、基端部伸縮部材２２Ａをバリヤーシート２１に固定するのにホットメルト接着剤を使用する。
【００３５】
さらに、不透液性バックシート２の側部を延在させ、この延在部をバリヤーカフス２０のバリヤーシート２１の間に挿入し、前記延在部を防漏手段２３Ｃとしたものである。
【００３６】
＜その他＞
なお、上記例は脚周りバリヤーカフスについての例であるが、前後フラップ１０も前後バリヤーカフスとして機能するから、同様の形態を採用でき、本発明はこれをも包含するものである。バリヤーシートの構成材料としては、撥水性不織布に限定されることなく、微細の通気用孔開き柔軟フィルムなどでもよい。
【図面の簡単な説明】
【００３７】
【図１】第１の実施の形態に係る使い捨て紙おむつの展開状態の平面図である。
【図２】そのバリヤーカフス附近の横断面的斜視図である。
【図３】実施の形態に係る使い捨て紙おむつの股間部の断面図である。
【符号の説明】
【００３８】
１…透液性トップシート、２…不透液性バックシート、３…吸収体、５…本体バックシート、１０…前後フラップ、１０Ａ…腰回り伸縮部材、１０Ｂ…先端部伸縮部材、２０…バリヤーカフス、２１…バリヤーシート、２２…先端部伸縮部材、２２Ａ…基端部伸縮部材、２３…根元側、２３Ａ…プラスチックシート、２３Ｃ…防漏手段、２４…先端側、３２…ガスケットカフス用伸縮部材。
【図１】
0004629411.tif 000002
【図２】
0004629411.tif 000003
【図３】
0004629411.tif 000004